【手続補正書】
【提出日】令和2年1月24日(2020.1.24)
【手続補正１】
【補正対象書類名】特許請求の範囲
【補正対象項目名】全文
【補正方法】変更
【補正の内容】
【特許請求の範囲】
【請求項１】
靴であって、
ソール底部表面、ソール側方部側表面、ソール中間部側表面、ソールヒール端部表面、及びソールトー端部表面を備えているソールであって、前記ソール底部表面が、前記ソール側方部側表面から前記ソール中間部側表面に横断方向に延び、前記ソール側方部側表面及び前記ソール中間部側表面が、前記ソール底部表面から上方に延び、前記ソールが、前記ソールヒール端部表面から前記ソールトー端部表面に長手方向に延び、前記ソールが、ソールヒール領域、ソールミッドフット領域、ソール中足骨領域、ソール拇指球領域、及びソールトー領域を含み、前記ソールヒール領域が、前記ソールヒール端部表面から前記ソールミッドフット領域に長手方向に延び、前記ソールミッドフット領域が、前記ソールヒール領域から前記ソール中足骨領域に長手方向に延び、前記ソール中足骨領域が、前記ソールミッドフット領域から前記ソール拇指球領域に延び、前記ソール拇指球領域が、前記ソール中足骨領域から前記ソールトー領域に長手方向に延び、前記ソールトー領域が、前記ソール拇指球領域から前記ソールトー端部表面に長手方向に延び、前記ソール拇指球領域が、ソール中間部拇指球領域及びソール側方部拇指球領域を含んでいる、前記ソールと、
機能可能に前記ソールに固定されているアッパーであって、前記アッパーが、アッパーヒール領域、アッパー側方部ミッドフット領域、アッパー中間部ミッドフット領域、アッパー中足骨領域、アッパー側方部拇指球領域、アッパー中間部拇指球領域、及びアッパートー領域を備えており、前記アッパー中足骨領域が、アッパー側方部中足骨領域及びアッパー中間部中足骨領域を含み、前記アッパーが、アッパー側方部側領域及びアッパー中間部側領域を有し、前記アッパー側方部側領域が、前記アッパー側方部ミッドフット領域、前記アッパー側方部中足骨領域、及び前記アッパー側方部拇指球領域を含み、前記アッパー中間部側領域が、前記アッパー中間部ミッドフット領域、前記アッパー中間部中足骨領域、及び前記アッパー中間部拇指球領域を含む、前記アッパーと、
ウェルトと、を備え、
前記ソールと前記アッパーとが共同してシームを確定し、前記シームが、シームヒール領域、シーム側方部ミッドフット領域、シーム側方部中足骨領域、シーム側方部拇指球領域、シームトー領域、シーム中間部拇指球領域、シーム中間部中足骨領域、及びシーム中間部ミッドフット領域を有し、前記シームヒール領域が、前記シーム中間部ミッドフット領域から前記シーム側方部ミッドフット領域に延び、前記シーム側方部ミッドフット領域が、前記シームヒール領域から前記シーム側方部中足骨領域に延び、前記シーム側方部中足骨領域が、前記シームミッドフット領域から前記シーム側方部拇指球領域に延び、前記シーム側方部拇指球領域が、前記シーム側方部中足骨領域から前記シームトー領域に延び、前記シームトー領域が、前記シーム側方部拇指球領域から前記シーム中間部拇指球領域に延び、前記シーム中間部拇指球領域が、前記シームトー領域から前記シーム中間部中足骨領域に延び、前記シーム中間部中足骨領域が、前記シーム中間部拇指球領域から前記シーム中間部ミッドフット領域に延び、前記シーム中間部ミッドフット領域が、前記シーム中間部中足骨領域から前記シームヒール領域に延び、
前記ウェルトが、前記ソールから分離するとともに、前記アッパーから分離している少なくとも１つのピースを備え、前記ウェルトが、前記ソールと前記アッパーとの少なくとも一方に固定されており、前記ウェルトが、前記シーム側方部側領域の少なくとも一部と、前記シーム中間部側領域の少なくとも一部とをカバーし、
前記ソールが、前記ソール底部表面内の第１の複数の屈曲性の溝を含み、前記第１の複数の屈曲性の溝が、前記ソール中間部側表面から前記ソール側方部側表面に横断方向に延び、
前記ウェルトが第１の複数のウェルトスリットを含み、前記第１の複数のウェルトスリットの少なくともいくつかの前記ウェルトスリットが、前記第１の複数の屈曲性の溝の少なくともいくつかの前記屈曲性の溝と隣接している、前記靴。
【請求項２】
前記第１の複数のウェルトスリットの少なくともいくつかの前記スリットが、それぞれ前記第１の複数の屈曲性の溝の対応する溝と整列している、請求項１に記載の靴。
【請求項３】
前記ソールが、前記ソール底部表面の第２の複数の屈曲性の溝をさらに含み、前記ウェルトが、第２の複数のウェルトスリットをさらに含み、前記第２の複数の屈曲性の溝が、前記ソール側方部側表面から前記ソール中間部側表面に向かって横断方向に延び、前記第２の複数のウェルトスリットの少なくともいくつかの前記スリットが、前記第２の複数の屈曲性の溝の少なくともいくつかの溝と隣接している、請求項１に記載の靴。
【請求項４】
前記第１の複数の屈曲性の溝の少なくともいくつかの溝が、前記ソール中間部拇指球領域にあり、前記第２の複数の屈曲性の溝の少なくともいくつかの溝が、前記ソール側方部拇指球領域にある、請求項３に記載の靴。
【請求項５】
前記ソールが、前記ソール底部表面に第３の複数の屈曲性の溝をさらに含み、前記第３の複数の屈曲性の溝が、前記ソール側方部側表面と前記ソール中間部側表面との間に横断方向に延び、前記第３の複数の屈曲性の溝の各々が、前記ソール中間部側表面から横断方向に離間しているとともに、前記ソール側方部側表面から横断方向に離間している、請求項４に記載の靴。
【請求項６】
前記第１の複数の屈曲性の溝の各々が、前記第２の複数の屈曲性の溝の対応する溝と整列するとともに、横断方向に離間している、請求項５に記載の靴。
【請求項７】
前記第１の複数の屈曲性の溝の１つ、及び、前記第２の複数の屈曲性の溝の１つが、長手方向において、前記第３の複数の屈曲性の溝の隣接する各対間にある、請求項６に記載の靴。
【請求項８】
前記ソールが、前記ソール底部表面に長手方向の屈曲性の溝をさらに含み、前記長手方向の屈曲性の溝が、前記ソールヒール端部表面と前記ソールトー端部表面との間で長手方向に延びている、請求項７に記載の靴。
【請求項９】
前記第１の複数の屈曲性の溝の各々が、前記長手方向の屈曲性の溝から横断方向に離間しており、前記第２の複数のソールの屈曲性の溝の各々が、前記長手方向の屈曲性の溝から横断方向に離間している、請求項８に記載の靴。
【請求項１０】
前記長手方向の屈曲性の溝が、前記第３の複数の屈曲性の溝の各々と交差している、請求項９に記載の靴。
【請求項１１】
前記ウェルトが、単一の一体の部材で構成されている、請求項１に記載の靴。
【請求項１２】
靴であって、
ソール底部表面、ソール側方部側表面、ソール中間部側表面、ソールヒール端部表面、及びソールトー端部表面を備えているソールであって、前記ソール底部表面が、前記ソール側方部側表面から前記ソール中間部側表面に横断方向に延び、前記ソール側方部側表面及び前記ソール中間部側表面が、前記ソール底部表面から上方に延び、前記ソールが、前記ソールヒール端部表面から前記ソールトー端部表面に長手方向に延び、前記ソールが、ソールヒール領域、ソールミッドフット領域、ソール中足骨領域、ソール拇指球領域、及びソールトー領域を含み、前記ソールヒール領域が、前記ソールヒール端部表面から前記ソールミッドフット領域に長手方向に延び、前記ソールミッドフット領域が、前記ソールヒール領域から前記ソール中足骨領域に長手方向に延び、前記ソール中足骨領域が、前記ソールミッドフット領域から前記ソール拇指球領域に延び、前記ソール拇指球領域が、前記ソール中足骨領域から前記ソールトー領域に長手方向に延び、前記ソールトー領域が、前記ソール拇指球領域から前記ソールトー端部表面に長手方向に延び、前記ソール拇指球領域が、ソール中間部拇指球領域及びソール側方部拇指球領域を含んでいる、前記ソールと、
機能可能に前記ソールに固定されているアッパーであって、前記アッパーがアッパー外側層を備え、前記アッパー外側層が、外側層ヒール領域、外側層側方部ミッドフット領域、外側層中間部ミッドフット領域、外側層中足骨領域、外側層側方部拇指球領域、外側層中間部拇指球領域、及び外側層トー領域を備え、前記外側層中足骨領域が、外側層側方部中足骨領域及び外側層中間部中足骨領域を含み、前記外側層が、外側層側方部側領域及び外側層中間部側領域を有し、前記外側層側方部側領域が、前記外側層側方部ミッドフット領域、前記外側層側方部中足骨領域、及び前記外側層側方部拇指球領域を含み、前記外側層中間部側領域が、前記外側層中間部ミッドフット領域、前記外側層中間部中足骨領域、及び前記外側層中間部拇指球領域を含み、前記外側層が革製であり、前記外側層が複数の貫通穴を含み、前記複数の穴の前記穴の各々が、穴の長さ及び穴の幅を有し、前記穴の幅が、前記靴の長手方向に延び、前記靴の前記長手方向が、概して、前記ソールヒール端部表面に向かうとともに、前記ソールトー端部表面から離れるように延びる方向であり、前記穴の長さが、前記靴の前記長手方向に対してほぼ垂直な方向に延びており、前記穴の長さが、前記穴の幅よりも長い、前記アッパーと、を備え、
前記複数の穴が、前記外側層中足骨領域にある、前記靴。
【請求項１３】
前記穴の長さが、前記穴の幅の少なくとも２倍の長さである、請求項１２に記載の靴。
【請求項１４】
前記複数の穴の各々が、前記複数の穴の別の穴からある距離だけ離間しており、前記距離が、前記複数の穴の長さの２倍より短い、請求項１３に記載の靴。
【請求項１５】
前記複数の穴の前記穴の各々が、前記複数の穴の別の穴からある距離だけ離間しており、前記距離が、前記複数の穴の長さより短い、請求項１３に記載の靴。
【請求項１６】
前記複数の穴の各々が、前記複数の穴の別の穴からある距離だけ離間しており、前記距離が、前記複数の穴の長さの２倍より短い、請求項１２に記載の靴。
【請求項１７】
前記複数の穴の各々が、前記複数の穴の別の穴からある距離だけ離間しており、前記距離が、前記複数の穴の長さより短い、請求項１２に記載の靴。
【請求項１８】
靴であって、
ソール底部表面、ソール側方部側表面、ソール中間部側表面、ソールヒール端部表面、及びソールトー端部表面を備えているソールであって、前記ソール底部表面が、前記ソール側方部側表面から前記ソール中間部側表面に横断方向に延び、前記ソール側方部側表面及び前記ソール中間部側表面が、前記ソール底部表面から上方に延び、前記ソールが、前記ソールヒール端部表面から前記ソールトー端部表面に長手方向前方に延びるとともに、前記ソールトー端部表面から前記ソールヒール端部表面に長手方向後方に延び、前記ソールが、ソールヒール領域、ソールミッドフット領域、ソール中足骨領域、ソール拇指球領域、及びソールトー領域を含み、前記ソールヒール領域が、前記ソールヒール端部表面から前記ソールミッドフット領域に長手方向に延び、前記ソールミッドフット領域が、前記ソールヒール領域から前記ソール中足骨領域に長手方向に延び、前記ソール中足骨領域が、前記ソールミッドフット領域から前記ソール拇指球領域に延び、前記ソール拇指球領域が、前記ソール中足骨領域から前記ソールトー領域に長手方向に延び、前記ソールトー領域が、前記ソール拇指球領域から前記ソールトー端部表面に長手方向に延び、前記ソール拇指球領域が、ソール中間部拇指球領域及びソール側方部拇指球領域を含んでいる、前記ソールと、
機能可能に前記ソールに固定されているアッパーであって、前記アッパーが、一体の一片の革製の構成のアッパー外側層を備え、前記アッパー外側層が、外側層ヒール領域、外側層側方部ミッドフット領域、外側層中間部ミッドフット領域、外側層中足骨領域、外側層側方部拇指球領域、外側層中間部拇指球領域、及び外側層トー領域を備え、前記外側層中足骨領域が、外側層側方部中足骨領域及び外側層中間部中足骨領域を含み、前記外側層が、外側層側方部側領域及び外側層中間部側領域を有し、前記外側層側方部側領域が、前記外側層側方部ミッドフット領域、前記外側層側方部中足骨領域、及び前記外側層側方部拇指球領域を含み、前記外側層中間部側領域が、前記外側層中間部ミッドフット領域、前記外側層中間部中足骨領域、及び前記外側層中間部拇指球領域を含み、前記外側層が第１のエリア及び第２のエリアを備え、前記第２のエリアが前記第１のエリアから長手方向後方に延び、前記第１のエリアが後方の境界を有し、前記第２のエリアが前方の境界を有し、前記第１のエリアの前記後方の境界と前記第２のエリアの前記前方の境界とが、互いに一致するとともに同一の広がりを持ち、前記第１のエリアと前記第２のエリアとの間の境界線を規定し、前記外側層が、貫通穴の複数の列を含み、前記複数の列の各々が、前記前方の境界線から後方に延びるとともに、複数の貫通穴を含み、前記複数の列の各列が、前記各列の他の穴すべての長手方向前方のもっとも前方の穴を含んでおり、前記複数の列の各列のもっとも前方の穴の各々が、前記第２のエリアの前記前方の境界にあり、前記もっとも前方の穴が組合せで、翼端形状の境界線を規定し、前記境界線が、中間部境界線及び側方部境界線を有し、前記中間部境界線が、少なくとも前記アッパー中間部中足骨領域から前記アッパートー領域に前方に延びる中間部側部分と、前記アッパートー領域から後方に延びる中心部分とを有する翼形状に湾曲した線を備えており、前記側方部境界線が、少なくとも前記アッパー側方部中足骨領域から前記アッパートー領域に前方に延びる側方部側部分と、前記アッパートー領域から後方に延びる中心部分とを有する翼形状に湾曲した線を備えており、前記中間部境界線の前記後方に延びる中心部分が、前記側方部境界線の前記後方に延びる中心部分に向かって集まる、前記アッパーと、を備えた前記靴。
【請求項１９】
前記第１のエリアが貫通穴を有していない、請求項１８に記載の靴。
【請求項２０】
前記中間部境界線と前記側方部境界線とが、後方を指す頂点において交わる、請求項１８に記載の靴。